(57)【特許請求の範囲】
【請求項１】
積層した積層紙を反転させる供給装置であって、二枚の紙受台（１Ａ）（１Ｂ）を設け、これら紙受台（１Ａ）（１Ｂ）の一方は、積層紙（Ｙ）を載置し、他方は、該積層紙（Ｙ）の上面に被冠して設け、これら両紙受台（１Ａ）（１Ｂ）間には、該積層紙（Ｙ）のズレやはみ出しを防止し、該積層紙（Ｙ）の嵩に応じて調節可能な整列保持具（２）を複数個設け、かつ、紙受台（１Ａ）（１Ｂ）の相対向する辺（ｃ）（ｄ）に、それぞれ高さ方向の中心に、反転シャフト（３Ｃ）を介して螺合する反転用の反転バー（３Ａ）（３Ｂ）からなる緊締・反転具（３）と、これらを搭載する市販されている油圧式パレットラックである移動具と、反転シャフト（３Ｃ）と軸着する一対の反転補助具（４）からなる片面印刷機における未印刷用紙の供給装置において、整列保持具（２）が、二枚の平板状のサイドバー（２Ａ）（２Ｂ）からなり、一方のサイドバーに長穴（２Ｃ）を設け、他方のサイドバーに、前記長穴（２Ｃ）内をスライドするスライド用突起（２Ｄ）を設け、これらサイドバーの一方を、紙受台（１Ａ）に一時固定し、他方を紙受台（１Ｂ）に一時固定することを特徴とする片面印刷機における未印刷用紙の供給装置。
【請求項２】
積層紙（Ｙ）の反転補助具（４）が、反転用の反転バー（３Ａ）（３Ｂ）の反転シャフトを嵌挿する受け穴（４Ｃ）を有する一対の支柱であり、該支柱には積層紙（Ｙ）の反転を一時阻止する安全ストッパー（４Ｄ）を設けたことを特徴とする請求項１記載の片面印刷機における未印刷用紙の供給装置。
【発明の詳細な説明】
【技術分野】
【０００１】
この発明は、片面印刷機における未印刷用紙の供給方法および供給装置に関する。
【背景技術】
【０００２】
従来、印刷機は、両面印刷機と片面印刷機からなり、前者は極めて高価であり、しかも機械本体が大型であり、従って、工場内で大きな場所を占めるもであった。それに対して、後者の片面印刷機は前者に比べて価格も低く、占める場所も比較的小さなものであった。
【０００３】
しかし、この片面印刷機を使用して印刷用紙の両面を印刷する，即ち，両面印刷を行うには、先ず、紙面の片面を印刷した用紙を片面印刷機の排紙側で多数枚待ち受け、この待ち受けた多数枚（最大で、８０００〜１００００枚）の用紙を反転させ、未印刷の面を上にし、再び、印刷機の給紙側に移動して残りの未印刷の面を印刷する必要があった。
【０００４】
しかし、印刷機を用いて印刷する紙面は大量の枚数であり、この印刷機の排紙側に印刷された紙を適当枚数束ね、この紙を再び、印刷機の給紙側に移動して積載する必要があり、この作業は、手作業による再積載が主流であり煩雑であった。
【０００５】
特に、紙サイズの大きな、Ａ版、菊全版、四六版など、しかも紙質によってはさらに重量が増し、これらの大型の紙サイズを大量に反転して移動させる作業は、体力を要し、熟練作業員でも非常な重労働作業となっていた。
【０００６】
これに対して、印刷機械において、自動的に給送する装置の技術は開示されている。例えば、特許文献１のように。
【０００７】
しかし、この開示された特許文献１は、片面印刷機に関するものではなく、しかも、印刷用紙を給送するものではなかった。
【０００８】
また、印刷機において、給紙装置を設けた印刷機は、存在する。例えば、特許文献２のように。
【０００９】
しかし、この開示された技術も、片面印刷機に使用するものではなく、しかも、印刷は欠番を印刷するための予備券を吸着しながら供給する給紙装置を使用するものであり、しかも、回転テーブル式の印刷機に関するものであり、印刷速度は極めて遅いものに過ぎなかった。
【先行技術文献】
【特許文献】
【００１０】
【特許文献１】特開平９−３７００８号公報
【特許文献２】特開２０１１−１２１３４１号公報
【発明の概要】
【発明が解決しようとする課題】
【００１１】
そこで、この発明の課題は、両面印刷機に比べてはるかに価格が安価であり、しかも印刷機本体の大きな場所を占めることのない片面印刷機を使用して、両面印刷をするに際して、極めて、簡単でしかも安価な方法と装置を提供できる片面印刷機における未印刷用紙の供給方法および供給装置を開発・提供することにある。
【課題を解決するための手段】
【００１２】
そして、この発明は、両面印刷機に比べて価格の安価な片面印刷機を使用して、両面印刷をするに際して、極めて、簡単でしかも安価に提供できる片面印刷機における未印刷用紙の供給方法および供給装置を開発・提供することにある。
【発明の効果】
【００１３】
この発明によると、片面印刷機の排紙側に紙受台を設け、該紙台紙上で、順次、片面が印刷された印刷用紙を適宜な枚数が溜まるまで待ち受け、これらの印刷用紙が適宜な枚数になった積層紙を、この積層紙が移動しないよう整列保持具で一時固定し、この積層紙を、緊締・反転具を用いて一体に上・下を反転させ、片面印刷機の給紙側に移動することにより、残りの片面が印刷でき、この発明の供給方法ならびに供給装置を用いると、安易・簡単に供給できる等の極めて優れた効果を奏する。
【００１４】
さらに、この発明によると、上・下両面を紙受台で一時固定した積層紙を、上下方向のほぼ中心に回転バーを取り付けることにより、反転時に、偏荷重が掛かることなく楽に反転でき、省力的である等のすぐれた効果を奏する。
【００１５】
また、この発明によると、二枚の帯状の板材をスライド可能に設けることにより、積層紙の嵩に応じて調整自在に対応できる等のすぐれた効果を奏する。
【００１６】
積層紙（Ｙ）の反転補助具（４）に、３Ａあるいは３Ｂと係止して、積層紙（Ｙ）の反転を阻止する安全ストッパー（４Ｄ）を設けることにより、安全に作業が行える等の効果を奏するものである。
【図面の簡単な説明】
【００１７】
【図１】この発明の一実施例を示し、紙受台上に積載された積層紙の状態を示す斜視図である。
【図２】この発明の一実施例を示し、紙受台上に積載された積層紙の上に、紙受台を被冠する状態を示す説明図である。
【図３】この発明の一実施例を示し、紙受台上に積載された積層紙に、台整列保持具、並びに緊締・反転具を装着し、かつ、反転補助具とを示す斜視図である。
【図４】この発明に使用する整列保持具及び緊締・反転具の取付状態の一実施例を示す斜視図である。
【図５】この発明に使用する整列保持具の一実施例を示し、（ａ）は、サイドバーの分解状態を示す斜視図であり、（ｂ）は、サイドバーの組立状態を示す斜視図である。
【図６】この発明に使用する緊締・反転具の一実施例を示し、（ａ）は、上・下のサイドバーを示す斜視図であり、（ｂ）は、反転シャフトを示す斜視図であり、（ｃ）は、これらの組立後の完成品を示す斜視図である。
【図７】この発明の一実施例を示し、移動具に軸着されて、反転中の状態を示す積載紙の斜視図である。
【図８】この発明の一実施例を示し、移動具に軸着されて、反転を完了した積載紙の状態を示す斜視図である。
【発明を実施するための形態】
【００１８】
以下、この発明の好適な実施の形態について詳細に説明すると、この発明においては、以下の記述に限定されるものではなく、この発明の要旨を逸脱しない範囲においては適宜変更可能である。
【実施例】
【００１９】
次に、この発明のうち、方法の発明の一実施例について詳述すると、積層した積層紙を反転させる供給方法において、片面印刷機の排紙側に、移動具上に紙受台を配置する工程と、該紙受台上に、片面印刷機より、順次、片面が印刷された紙を、適数枚まで積層するよう待ち受ける工程と、これら積層された紙、即ち，積層紙の上部に、紙受台を載置する工程と、これら上・下の紙受台に、紙受台間の積層紙が移動しないよう整列保持具、緊締・反転具を設け、一時、積層紙を固定する工程と、前記緊締・反転具で一時固定された積層紙を、反転補助具を用いて未印刷の紙面が上となるよう反転させる工程と、この反転した積層紙を、片面印刷機の給紙側に移動具で移動させる工程と、積層紙の上面の紙受台を取り除き、未印刷の紙面を、移動具で印刷機の給紙側に供給し、順次、印刷する工程との組み合わせからなることを特徴とする片面印刷機における未印刷用紙の供給方法から構成されるものである。
【００２０】
次に、この発明の他の実施例である，装置の発明の一実施例を図面に基づいて、詳述すると、積層した積層紙を反転させる供給装置において、二枚の紙受台（１Ａ）（１Ｂ）を設け、これら紙受台（１Ａ）（１Ｂ）の一方は、積層紙（Ｙ）を載置し、他方は、該積層紙（Ｙ）の上面に被冠して設け、これら両紙受台（１Ａ）（１Ｂ）間には、該積層紙（Ｙ）のズレやはみ出しを防止し、該積層紙（Ｙ）の嵩に応じて調節可能な整列保持具（２）の複数個設け、かつ、紙受台（１Ａ）（１Ｂ）の相対向する辺（ｃ）（ｄ）に、それぞれ高さ方向の中心に、反転シャフト（３Ｃ）を介して螺合する反転用の反転バー（３Ａ）（３Ｂ）からなる緊締・反転具（３）と、前記反転シャフト（３Ｃ）は軸着し、該反転シャフト（３Ｃ）と軸着する反転補助具（４）を設けたことを特徴とする片面印刷機における未印刷用紙の供給装置から構成される。
【００２１】
また、この発明は、紙受台（１Ａ）（１Ｂ）が、いずれも上面を印刷する紙の大きさに合わせて形成した搬送用パレットであり、該紙受台の周囲には、それぞれ複数個の穴（Ｈ）を設け、該穴（Ｈ）の内側には、整列保持具（２）、緊締・反転具（３）と一時固定するボルト・ナット等を用いる固定手段（Ｅ）を設けたことを特徴とする片面印刷機における未印刷用紙の供給装置から構成される。
【００２２】
さらに、この発明は、図５に示すように、整列保持具（２）が、二枚の帯状のサイドバー（２Ａ）（２Ｂ）からなり、一方のサイドバーに長穴（２Ｃ）を設け、他方のサイドバーに、前記長穴（２Ｃ）内をスライドするスライド用突起（２Ｄ）を設け、これらサイドバーの一方を、専用パレット（１Ａ）に一時固定し、他方を専用パレット（１Ｂ）に一時固定することを特徴とする片面印刷機における未印刷用紙の供給装置から構成される。
尚、サイドバー（２Ａ）には、補強と段差防止のため、段差防止板（２Ｅ）が設けられ、積載紙（Ｙ）がズレることを防止した構造となっている。
【００２３】
そして、この発明は、積層紙（Ｙ）の反転補助具（４）が、反転用の反転バー（３Ａ）（３Ｂ）に設けた反転シャフト（３Ｃ）に嵌挿する受け穴（４Ｃ）を有する一対の支柱であり、該支柱には、安全ストッパー（４Ｄ）を設けたことを特徴とする片面印刷機における未印刷用紙の供給装置である。
【００２４】
また、移動具（５）の一例としては、市販されているハンドパレットリフターと呼ばれる，油圧式パレットラックであり、片面印刷機の排紙側で、紙受台上に、該印刷機から、順次、片面印刷された紙（ｙ）を、多数枚積層する積層紙（Ｙ）を、紙受台である専用パレット（１Ａ）で受け、地面まで降下させるものであり、また、積層紙（Ｙ）を１０〜１５ｃｍ程度上げて、左・右に位置する反転補助具（４）に取付けたり、さらに、残りの片面を印刷するため、反転した積層紙（Ｙ）を、片面印刷機の給紙側まで移動・セットするものである。
【００２５】
そして、前記専用パレット（１Ａ）（１Ｂ）を用いる場合には、該パレットの底部に差し込み、あるいは、挿入穴に差し込んで、専用パレット（１Ａ）を昇降させたり、移動させたりするものであり、これにより、極めて省力化に作業できるものである。
【００２６】
次に、この発明の使用方法を説明すると、上面を印刷用紙（未印刷の紙をいう）の大きさに合わせて形成した紙受台（以下、専用パレットという）を二枚用意し、このうち、一枚を片面印刷機の排紙側に配置する。
【００２７】
そして、この専用パレット上に、前記片面印刷機より、順次、印刷用紙の片面が印刷された紙が、適宜の高さ（積載高が、８０ｃｍ以下が最適である。）までに積層するよう待ち受ける。
【００２８】
この印刷が完了した段階で、専用パレット（１Ａ）上に、積層された積層紙（Ｙ）を、片面印刷機から移動具（５）（以下、パレットハンドリフターという）を用いて取り出す。
【００２９】
次に、この取り出された専用パレット（１Ａ）上に積層された積層紙（Ｙ）の上に、他の専用パレット（１Ｂ）を載置し、上・下の専用パレット（１Ａ，１Ｂ）を利用して、積層紙（Ｙ）のズレやはみ出しを防止するためのスライド可能な整列保持具（２）の両端を、それぞれボルト・ナット等の固定手段（Ｅ）で一時固定して設ける。この整列保持具（２）は、前記専用パレット（１Ａ）（１Ｂ）の長辺（ａ）（ｂ）に２本づつ、計４本取り付けている。しかし、取付け本数は、４本に限定されることはない。
【００３０】
さらに、上・下専用パレット（１Ａ）（１Ｂ）の短辺（ａ）（ｂ）には、それぞれ中心に緊締・反転具（３）を設ける。該緊締・反転具は、上・下の専用パレット（１Ａ）（１Ｂ）に、それぞれ２本の反転バー（３Ａ）（３Ｂ）の一端をボルト・ナット等の固定手段（Ｅ）を用いて一時固定し、これらバー（３Ａ）（３Ｂ）の他端は、垂直片と水平片からなる全体の形状が略Ｔ字状をした反転シャフト（３Ｃ）に、締付自在に螺着する。
【００３１】
この反転シャフト（３Ｃ）は、図６（ｂ）に示すように、全体の形状が略Ｔ字状をしており、垂直片の両方には雄螺子が刻まれており、これら両方には反転バー（３Ａ）（３Ｂ）を介して、ナット等の固定手段（Ｅ）で螺着されており、これを締めつけることにより、両反転バー（３Ａ）（３Ｂ）が、一時固定され、さらに、締めつけることにより、積層紙（Ｙ）を上下方向に圧縮・緊締して、堅牢に上・下専用パレット（１Ａ）（１Ｂ）と一時固定することにより、積層紙（Ｙ）が移動しないよう固定するものである。
【００３２】
積層紙（Ｙ）の反転補助具（４）の一例としては、図７，図８にそれぞれ示すように、その一例としては、支柱部（４Ａ）と下部ボード（４Ｂ）からなるスタンド状のものであり、支柱部（４Ａ）の上部には、前記反転シャフト（３Ｃ）を受ける受け穴（４Ｃ）を設け、パレットハンドリフター（５）で、積層紙（Ｙ）を載置した専用パレット（１Ａ）を適宜な高さ程持ち上げ、該受け穴（４Ｃ）に、それぞれ挿入するものである。
【００３３】
また、支柱部（４Ａ）の下部には、積層紙（Ｙ）の反転を停止する安全ストッパー（４Ｄ）を設けている。この安全ストッパー（４Ｄ）は、コ字状をしており、積層紙（Ｙ）方向に移動させることにより、前記緊締・反転具（３）の反転バー（３Ｂ）あるいは、反転バー（３Ａ）に係止され、積層紙（Ｙ）の反転を阻止するものであり、偏荷重は殆どない。
【００３４】
さらに、反転補助具（４）の下部には、安定感を有するボード（４Ｂ）を一体に設けており、前記支柱部（４Ａ）は該ボード（４Ｂ）上に起立しており、該ボード（４Ｂ）の底部にはキャスター（４Ｅ）やステイ（４Ｆ）を設けている。また、積層紙（Ｙ）は、支柱部（４Ａ）に設けたハンドル（４Ｇ）を用いて反転させるものである。
【００３５】
そして、最後に、反転した積層紙（Ｙ）を載置した専用パレット（１Ｂ）は、パレットハンドリフター（５）で持ち上げ、反転により、積層紙（Ｙ）の上面に位置する専用パレット（１Ａ）、整列保持具（２）、緊締・反転具（３）等の各部材を取り外し、片面印刷機の給紙側の給紙台に装填して、裏面を印刷するものである。
【産業上の利用可能性】
【００３６】
この発明によると、片面印刷機における未印刷面を有する印刷用紙の反転方法および装置の技術を確立し、これに基づいて大量に製造・使用・販売することにより産業上の利用可能性があるものである。
【符号の説明】
【００３７】
１Ａ，１Ｂ  紙受台（専用パレット）
２  整列保持具
２Ａ，２Ｂ  サイドバー
２Ｃ  長穴
２Ｄ  スライド用突起
２Ｅ  段差防止板
３  緊締・反転具
３Ａ，３Ｂ  反転バー
３Ｃ  反転シャフト
４  反転補助具
４Ａ  支柱部
４Ｂ  ボード
４Ｃ  受け穴
４Ｄ  安全ストッパー
４Ｅ  キャスター
４Ｆ  ステイ
４Ｇ  ハンドル
５  移動具（パレットハンドリフター）
Ｅ  固定手段
ａ，ｂ  紙受台の相対向する長辺
ｃ，ｄ  紙受台の相対向する短辺
Ｙ  積層紙
ｙ  片面が印刷された紙
【図１】
0005401566.tif 000002
【図２】
0005401566.tif 000003
【図３】
0005401566.tif 000004
【図４】
0005401566.tif 000005
【図５】
0005401566.tif 000006
【図６】
0005401566.tif 000007
【図７】
0005401566.tif 000008
【図８】
0005401566.tif 000009